(57)【要約】【課題】ホログラフィック記録媒体における複数の記録領域に記録されたホログラムを、同時に読み出す方法を提供する。【解決手段】ホログラフィック記録媒体１２の記録層１３における複数の記録領域１３Ａ〜１３Ｈには、それぞれホログラムが多重記録されていて、各記録領域１３Ａ〜１３Ｈに対して、再生光源１４からの再生光ビームＲを、ビーム分割装置１６によって複数の分割ビームＲａ〜Ｒｈとして照射し、各記録領域１３Ａ〜１３Ｈで発生した回折光を受光器１８により一括して受光する。【選択図】図１
2005172956.tif 000002
【特許請求の範囲】
【請求項１】
記録層の面方向に複数の記録領域を有し、各記録領域毎にホログラムが形成されているホログラフィック記録媒体に再生光ビームを照射して、前記ホログラムから情報を再生するホログラフィックメモリ再生方法であって、
光源から出射された再生光ビームを複数の分割ビームとして、同数の前記記録領域を同時に照射し、該複数の記録領域からの回折光を同時に受光して、情報を一括して読み出すことを特徴とするホログラフィックメモリ再生方法。
【請求項２】
請求項１において、前記記録領域にはホログラムが位相コード多重記録されていて、前記再生光ビームに、前記記録時の位相コードを重畳させることを特徴とするホログラフィックメモリ再生方法。
【請求項３】
再生光ビームを出射する再生光源と、前記再生光ビームを複数の分割ビームとして、ホログラフィック記録媒体の面方向に異なる位置の記録領域を照射するように導くビーム分割装置と、前記分割ビームの照射により前記記録領域に記録されているホログラムから発生する回折光を読み出すための少なくとも一つの受光器と、を有してなるホログラフィックメモリ再生装置。
【請求項４】
請求項３において、
前記再生光源とビーム分割装置との間の再生光ビームの光路上に、該再生光ビームを位相変調する位相コード変調器を設けたことを特徴とするホログラフィックメモリ再生装置。
【請求項５】
物体光及び参照光の照射による干渉縞に対応して、記録層にホログラムが形成されているホログラフィック記録媒体であって、
前記記録層の複数の記録領域に各々ホログラムが位相コード多重記録されていて、且つ、同一の位相コードのホログラムが、各記録領域に、１単位ずつ配置されたことを特徴とするホログラフィック記録媒体。
【発明の詳細な説明】
【技術分野】
【０００１】
この発明は、ホログラムが形成されているホログラフィック記録媒体から情報を再生するためのホログラフィックメモリ再生方法、その装置、及びこのホログラフィックメモリ再生方法に用いて好適なホログラフィック記録媒体に関する。
【背景技術】
【０００２】
ホログラフィック記録は、２つの光束（物体光及び参照光）をホログラフィック記録媒体の記録層内で干渉させることによって生じる干渉縞をホログラムとして記録させるものであり、２つの光束の干渉のさせ方を変えることによって、記録層内の同一領域に異なった干渉縞を多数記録することが可能となり、これを多重化と称している。
【０００３】
この多重化方法としては、角度多重、シフト多重、波長多重、位相コード多重等が提案されていて、ホログラムとして記録された情報を読み取る場合は、記録時に用いた一方の光束と同等な光束を再生光ビームとして、記録層に照射し、発生した回折光を検出することで、記録された情報を読み取るようにしている。
【０００４】
この場合、再生光ビームを記録層における記録領域の１箇所に照射し、記録された情報を読み取るが、この場合、多重化方式に対応して、記録媒体を再生光ビームに対して相対的に移動させたり、再生光ビームの入射角度を変調したりしている。
【０００５】
上記いずれの場合でも、再生光ビームを照射する記録領域は機械的な移動あるいは回転、光学システムの移動等によって次の記録領域に移行する必要がある。
【発明の開示】
【発明が解決しようとする課題】
【０００６】
上記のように、再生光ビームを照射する記録領域を順次移行して複数の記録領域に記録された情報を読み取るためには、ホログラフィック記録媒体あるいは光学システムを移動させるための駆動モータ等が必要となり、システム全体が大きくなってしまい、又機械的な手段による移動では、情報のアクセス及び転送速度が制限され、高速アクセス、高速転送が困難となるという問題点がある。
【０００７】
この発明は上記問題点に鑑みてなされたものであって、機械的な手段を用いることなく、複数の記録領域に高速アクセスし、且つ高速転送することができるようにしたホログラフィックメモリ再生方法、その装置及びホログラフィック記録媒体を提供することを目的とする。
【課題を解決するための手段】
【０００８】
本発明者は、鋭意研究の結果、再生光ビームを複数ビームに分割して、同時に複数の記録領域を照射することで、該複数の記録領域からの情報を一括して読み出すことにより、機械的な手段を用いることなく、高速アクセス及び高速転送ができることを見出した。
【０００９】
即ち、以下の本発明により上記目的を達成することができる。
【００１０】
（１）記録層の面方向に複数の記録領域を有し、各記録領域毎にホログラムが形成されているホログラフィック記録媒体に再生光ビームを照射して、前記ホログラムから情報を再生するホログラフィックメモリ再生方法であって、光源から出射された再生光ビームを複数の分割ビームとして、同数の前記記録領域を同時に照射し、該複数の記録領域からの回折光を同時に受光して、情報を一括して読み出すことを特徴とするホログラフィックメモリ再生方法。
【００１１】
（２）前記記録領域にはホログラムが位相コード多重記録されていて、前記再生光ビームに、前記記録時の位相コードを重畳させることを特徴とする（１）に記載のホログラフィックメモリ再生方法。
【００１２】
（３）再生光ビームを出射する再生光源と、前記再生光ビームを複数の分割ビームとして、ホログラフィック記録媒体の面方向に異なる位置の記録領域を照射するように導くビーム分割装置と、前記分割ビームの照射により前記記録領域に記録されているホログラムから発生する回折光を読み出すための少なくとも一つの受光器と、を有してなるホログラフィックメモリ再生装置。
【００１３】
（４）前記再生光源とビーム分割装置との間の再生光ビームの光路上に、該再生光ビームを位相変調する位相コード変調器を設けたことを特徴とする（３）に記載のホログラフィックメモリ再生装置。
【００１４】
（５）物体光及び参照光の照射による干渉縞に対応して、記録層にホログラムが形成されているホログラフィック記録媒体であって、前記記録層の複数の記録領域に各々ホログラムが位相コード多重記録されていて、且つ、同一の位相コードのホログラムが、各記録領域に、１単位ずつ配置されたことを特徴とするホログラフィック記録媒体。
【発明の効果】
【００１５】
この発明においては、再生光ビームを複数の分割ビームとして、これを同時に、ホログラフィック記録媒体の記録領域に照射し、複数の記録領域からの回折光を同時に受光して、情報を一括して読み出すことができるという効果を有する。
【発明を実施するための最良の形態】
【００１６】
記録層の面方向に複数の記録領域を有し、各記録領域毎にホログラムが形成されているホログラフィック記録媒体に対して、光源から出射された再生光ビームを複数の分割ビームとして同数の記録領域を同時に照射して、該複数の記録領域からの回折光を同時に且つ別個に受光して情報を一括して読み出すことにより、上記目的を達成する。
【実施例１】
【００１７】
次に、図１を参照して、本発明の実施例１に係るホログラフィックメモリ再生装置１０について説明する。
【００１８】
このホログラフィックメモリ再生装置１０は、記録層１３の面方向に複数の記録領域１３Ａ〜１３Ｈを有し、各記録領域１３Ａ〜１３Ｈ毎にホログラムが形成されているホログラフィック記録媒体１２に記録されている情報を再生するためのものである。
【００１９】
このホログラフィックメモリ再生装置１０は、再生光ビームを出射するレーザ光源である再生光源１４と、前記再生光ビームＲを複数の分割ビームＲａ〜Ｒｈとして、前記ホログラフィック記録媒体１２における記録領域１３Ａ〜１３Ｈを照射するように導くビーム分割装置１６と、前記分割ビームＲａ〜Ｒｈの照射により前記各記録領域１３Ａ〜１３Ｈから発生する回折光を読み出すための受光器１８とを備えて構成されている。
【００２０】
前記ビーム分割装置１６は、一本の入射光ビームを複数本の光ビームに分割するもので、例えば、回折体あるいは多面体から構成されている。
【００２１】
又、前記記録領域１３Ａ〜１３Ｈから受光器１８に至る回折光の光路上には、各々コリメートレンズ２０Ａ〜２０Ｈが配置されている。更に、前記再生光源１４とビーム分割装置１６の間における再生光ビームＲの光路上には、位相コード変調器としての位相空間光変調器２２が設けられている。図１の符号１５は、再生光源１４からの発散光ビームを平行光ビームとするための絞りを示す。
【００２２】
前記ホログラフィック記録媒体１２の記録領域１３Ａ〜１３Ｈには、情報の記録時に、照射される物体光は、空間光変調器（図示省略）により、記録すべき情報に応じて物体光を振幅変調し、又、参照光は、前記位相空間光変調器２２と同様の位相空間光変調器（図示省略）により、位相変調されて情報がホログラムとして記録されている。
【００２３】
又、前記記録領域１３Ａ〜１３Ｈにおけるホログラムは、位相コード多重記録されていて、且つ、同一の位相コードのホログラムが各記録領域に１単位ずつ配置されている。
【００２４】
次に、前記ホログラフィックメモリ再生装置１０により、ホログラフィック記録媒体１２の記録領域１３Ａ〜１３Ｈに記録されたホログラムから情報を再生する過程について説明する。
【００２５】
レーザ光源である再生光源１４から出射されたレーザ光は、再生光ビームＲとして位相空間光変調器２２に入射し、ここで位相コード変調される。
【００２６】
この位相コード変調された再生光ビームＲは、ビーム分割装置１６において、前記記録領域１３Ａ〜１３Ｈに各々照射される分割ビームＲａ〜Ｒｈに分割される。
【００２７】
分割ビームＲａ〜Ｒｈは、各々、同一の位相コードで変調されているので、記録領域１３Ａ〜１３Ｈに多重記録されたホログラムのうち、位相コードが一致するホログラムから、最も高い回折効率で回折光が発生する。
【００２８】
この回折光を受光器１８において同時に受光して、該回折光から、前記記録時の物体光に付与された振幅変調の情報を再生して、情報を読み出すことになる。
【００２９】
即ち、複数の記録領域１３Ａ〜１３Ｈに記録された情報を同時に読み出すことができる。
【００３０】
なお、受光器１８は、同一の受光面上の異なる領域で前記複数の回折光を受光しているが、回折光と同数の受光器を用いて、独立して受光するようにしてもよい。
【実施例２】
【００３１】
なお、上記実施例１においては、ホログラフィック記録媒体１２の記録領域１３Ａ〜１３Ｈに、情報が位相コード多重記録されていることから、再生時には位相空間光変調器２２を用いているが、本発明はこれに限定されるものでなく、角度多重記録の場合にも適用されるものである。
【００３２】
即ち、実施例２のホログラフィックメモリ再生装置３０のように、ビーム分割装置３２からホログラフィック記録媒体３４に照射される分割ビームが、該ホログラフィック記録媒体３４における複数の記録領域に対して同一入射角度でホログラフィック記録媒体３４を照射し、且つその角度を同期して変調できるようにしてもよい。
【００３３】
なお、ホログラフィックメモリ再生装置３０の他の構成は前記実施例１と同様であるのでホログラフィックメモリ再生装置１０の構成と同一部分には同一符号を付与することにより説明を省略するものとする。
【図面の簡単な説明】
【００３４】
【図１】本発明の実施例１に係るホログラフィックメモリ再生装置を示す光学系統図
【図２】同実施例に係るホログラフィックメモリ再生装置を示す光学系統図
【符号の説明】
【００３５】
１０、３０…ホログラフィックメモリ再生装置
１２、３４…ホログラフィック記録媒体
１３…記録層
１３Ａ〜１３Ｈ…記録領域
１４…再生光源
１６、３２…ビーム分割装置
１８…受光器
２０Ａ〜２０Ｈ…コリメートレンズ
２２…位相空間光変調器
Ｒ…再生光ビーム
Ｒａ〜Ｒｈ…分割ビーム
【図１】
2005172956.tif 000003
【図２】
2005172956.tif 000004